(57)【要約】【課題】  手動でのディスプレイパネルの開閉をすることなく、あらかじめ定めた条件に応じて自動的に開閉するディスプレイパネルの計算機装置及びパネル開閉制御方法を提供することを課題とする。【解決手段】  計算機装置と一体となるようにディスプレイを収納可能なディスプレイパネルと、このディスプレイパネルを開閉する開閉手段と、あらかじめ定められた条件に基づいて開閉手段に対し開閉を指示する開閉制御手段とを計算機装置に備える。【選択図】  図２
2006350709.tif 000002
【特許請求の範囲】
【請求項１】
ディスプレイを内蔵する計算機装置において、
前記ディスプレイを包含し、計算機装置と一体となるように収納可能なディスプレイパネルと、
ディスプレイの使用時にはディスプレイパネルを収納状態からディスプレイが見えるように、また不使用時には収納状態となるようにディスプレイパネルを開閉する開閉手段と、
あらかじめ定められた条件に基づいてディスプレイパネルに対し開閉いずれかの動作が必要か否かを判定し、これらの動作が必要な場合には、前記開閉手段に対し必要な開閉いずれかの動作を指示する開閉制御手段と
を具備したことを特徴とする計算機装置。
【請求項２】
ディスプレイを内蔵する計算機装置において、
前記ディスプレイを包含し、このディスプレイの表示面側を計算機装置のキーボード面と重ね合わせるように折りたたむことが可能なディスプレイパネルと、
ディスプレイパネルを折りたたんだ状態からディスプレイが見えるように開き、または折りたたんだ状態となるようにディスプレイパネルを開閉する開閉手段と、
ディスプレイを使用する場合には前記開閉手段に対しディスプレイパネルを開くように指示し、不使用の場合には閉じるように指示する開閉制御手段と
を具備したことを特徴とする計算機装置。
【請求項３】
前記開閉制御手段は、前記計算機装置の起動指示があったとき、またはディスプレイパネルを開く旨の指示があったときには前記開閉手段に対しディスプレイパネルを開くように指示し、前記計算機装置の停止指示があったとき、またはディスプレイを閉じる旨の指示があったときには前記開閉手段に対しディスプレイパネルを閉じるように指示することを特徴とする、請求項１または２に記載の計算機装置。
【請求項４】
さらにテレビ番組の予約視聴手段を備え、
前記開閉制御手段は、予約したテレビ番組の開始時刻が近い旨の指示を前記予約視聴手段から受けると前記開閉手段に対しディスプレイパネルを開くように指示し、予約したテレビ番組の視聴中にこの番組の終了時刻を過ぎる旨の指示を前記予約視聴手段から受けると前記開閉手段に対しディスプレイパネルを閉じるように指示することを特徴とする、請求項１または２に記載の計算機装置。
【請求項５】
ディスプレイを内蔵する計算機装置における、計算機装置と一体となるように収納可能な、前記ディスプレイを包含するディスプレイパネルの開閉制御方法であって、
計算機装置の電源投入指示があったとき、ディスプレイパネルを開くように指示があったとき、およびテレビ番組視聴予約の開始時刻が近い旨の指示のうちいずれか１の指示があったときには前記ディスプレイパネルを、前記ディスプレイが見えるように開き、
計算機装置の電源遮断指示があったとき、ディスプレイパネルを閉じるように指示があったとき、および視聴中のテレビ番組視聴予約の終了時刻が過ぎる旨の指示のうちいずれか１の指示があったときには前記ディスプレイパネルを収納する
ことを特徴とするパネル開閉制御方法。
【発明の詳細な説明】
【技術分野】
【０００１】
本発明は、開閉可能なディスプレイパネルを備えた計算機装置及びパネル開閉制御方法に関する。
【背景技術】
【０００２】
使用していないときには液晶等で構成されたディスプレイパネルとキーボード部分を備える本体とを向かい合わせに折りたたむようにして収納できるノート型の計算機が使われている。
【０００３】
近年、このようなノート型計算機にもテレビチューナーなどのＡＶ(Audio-Video)機能を搭載し、自動的にテレビ番組を扱うことができるものも登場してきた。また家庭用テレビと同様に離れた場所からリモコンにより電源の入切までも制御できるものもある。
【０００４】
しかしながらディスプレイパネルは収納時にはパネル面を保護する目的から外部からは見えないようになっている。またディスプレイパネルは一般的には手動で開閉するように作られており、キーボードを叩くといった計算機としての利用ではなく、たとえばリモコンで操作可能なテレビ視聴といった単にＡＶ機能を使おうとした場合にもディスプレイパネルの開閉を手動で行わなければならなかった。
【０００５】
また高画質化のため画面サイズの大きなディスプレイを搭載するものも増えているが、反面ディスプレイパネルの重量が増え開閉に苦労する場合も出てきた。
【０００６】
たとえば折りたたまれたディスプレイをスイッチ操作により自動的に開閉する携帯電話が開示されている（特許文献１を参照）。
【特許文献１】登録実用新案第３０７９８２０号公報
【発明の開示】
【発明が解決しようとする課題】
【０００７】
手動によらずディスプレイを使用する状況になった場合に、自動的に開閉する機構を備えたディスプレイ収納型の計算機は無かった。また大型ディスプレイを搭載する場合、ディスプレイパネルの開閉が負担となる。本発明はこのような問題に鑑みてなされたものであり、本体に設置されたスイッチ操作や手動でのディスプレイパネルの開閉をすることなく、状況に応じて自動的に開閉する計算機装置及びパネル開閉制御方法を提供することを課題とする。
【課題を解決するための手段】
【０００８】
本発明にかかる計算機装置とすれば、
ディスプレイを内蔵する計算機装置において、前記ディスプレイを包含し、計算機装置と一体となるように収納可能なディスプレイパネルと、ディスプレイの使用時にはディスプレイパネルを収納状態からディスプレイが見えるように、また不使用時には収納状態となるようにディスプレイパネルを開閉する開閉手段と、あらかじめ定められた条件に基づいてディスプレイパネルに対し開閉いずれかの動作が必要か否かを判定し、これらの動作が必要な場合には、前記開閉手段に対し必要な開閉いずれかの動作を指示する開閉制御手段とを具備したことを特徴とする計算機装置が提供される。
【０００９】
本発明にかかるパネル開閉制御方法とすれば、
ディスプレイを内蔵する計算機装置における、計算機装置と一体となるように収納可能な、前記ディスプレイを包含するディスプレイパネルの開閉制御方法であって、計算機装置の電源投入指示があったとき、ディスプレイパネルを開くように指示があったとき、およびテレビ番組視聴予約の開始時刻が近い旨の指示のうちいずれか１の指示があったときには前記ディスプレイパネルを、前記ディスプレイが見えるように開き、計算機装置の電源遮断指示があったとき、ディスプレイパネルを閉じるように指示があったとき、および視聴中のテレビ番組視聴予約の終了時刻が過ぎる旨の指示のうちいずれか１の指示があったときには前記ディスプレイパネルを収納することを特徴とするパネル開閉制御方法が提供される。
【００１０】
このように構成することにより、ディスプレイ収納型の計算機において、手動でのディスプレイパネルの開閉をすることなく、状況に応じて自動的に開閉する計算機装置及びパネル開閉制御方法を提供することができる。
【発明の効果】
【００１１】
本発明によれば、ディスプレイ収納型の計算機において、手動でのディスプレイパネルの開閉をすることなく、状況に応じて自動的に開閉する計算機装置及びパネル開閉制御方法を提供することができる。
【発明を実施するための最良の形態】
【００１２】
図１（ａ）に本発明の実施形態における計算機システムの一例を示す。図１（ａ）には計算機１００、リモコン１０１が示されている。
【００１３】
計算機１００は、液晶等で構成されたディスプレイと、このディスプレイを内包するディスプレイパネル、及び演算処理装置、メモリ、磁気ディスク装置、キーボード等を格納する計算機本体からなる。この図ではディスプレイパネルが開いた状態を示しており、正面に位置した利用者はディスプレイを見ながら、計算機本体の上面に配置されたキーボードを打鍵することで計算機１００を利用する。使用しないときは図１（ｂ）に示すように使用時には見えているディスプレイとキーボードを向かい合わせるようにディスプレイパネルと計算機本体を重ね合わせる。このようにすると構造的に弱いディスプレイと、異物が混入しやすいキーボードとが外界に露出しないので故障しにくい。さらにはディスプレイパネルと計算機本体を重ね合わせることで１枚の板状になるため、不使用時の収納性も良い。
【００１４】
本実施形態ではノート型の計算機を例示したが、ディスプレイパネルが計算機内に格納できるようになっており使用時に計算機内からせり出してくる構造のディスプレイパネルを搭載したものでも良い。あるいはディスプレイパネル自体は可動せずディスプレイの表示面側に、ディスプレイを保護するように設置された開閉可能なシャッターのような構造を備えていても良い。これらの場合も計算機不使用時のディスプレイ保護に有効である。
【００１５】
リモコン１０１は、計算機１００のリモートコントロールする機能を備える。本実施形態ではたとえば、計算機１００の電源の入切、ディスプレイパネルの開閉、アプリケーションの起動、音楽再生、テレビ視聴のためのチャンネル選択、及び録画予約などのコントロールができるようになっている。リモコン１０１と計算機１００間は赤外線、無線、有線などを用いてコマンドをやり取りする。リモコン１０１の形状は図１（ａ）に示したような形に限定されず、計算機１００の機能をリモートコントロールするのに適した形状（たとえばボタンの配置等）を採用することができる。
【００１６】
図２に本実施形態における計算機１００の構成図の一例を示す。図２には、計算機本体２００、ディスプレイパネル２０１、ヒンジ２０３、ＰＣ制御部２０４、開閉制御部２０５、開閉駆動部２０６、リモコンセンサー部２０７、及び予約時間表２０８が示されている。
【００１７】
計算機本体２００は、演算処理装置、メモリ、磁気ディスク装置、キーボード等の計算機１００の主要部品を格納している。本実施形態では図示していないが外部接続用のコネクタなども備えていても良い。
【００１８】
ディスプレイパネル２０１は、ディスプレイ２０２を包含し利用者に画面を見やすい位置、角度に固定する機能を有している。ディスプレイパネル２０１は収納すると計算機本体２００と重なる側にディスプレイ２０２の表示面が来るように取り付けられている。ディスプレイパネル２０１の他方の面は堅牢なパネル構造をしており、収納するとディスプレイ２０２や計算機本体２００に設けられたキーボードなどの構造的に弱い部品を保護する機能を備えている。ディスプレイ２０２の表示面側から以外はディスプレイ２０２に表示された画像を見ることはできない
ディスプレイ２０２は、たとえば高精細の画面を表示する液晶などで作られた画像表示装置である。ディスプレイ２０２の表示方式は液晶方式に限られないが、ディスプレイパネル２０１に包含して折りたたむ等収納可能な構造を採用できるものであれば使用できる。
【００１９】
ヒンジ２０３は、計算機本体２００とディスプレイパネル２０１とを回転可能に接続する機能を有する。ディスプレイパネル２０１を計算機本体２００側に折り曲げると、ほぼこれらが接触するように接近させることができる。またディスプレイパネル２０１を計算機本体２００上に起立させるように任意の角度で固定でき、計算機１００を利用する利用者にとってディスプレイ２０２の表示面が見やすい位置で利用できるようになっている。本実施形態ではヒンジ２０３は２箇所設けているが、少なくとも１箇所以上あれば良い。
【００２０】
ＰＣ制御部２０４は、計算機１００のパーソナルコンピュータとしての機能をつかさどる部分である。パーソナルコンピュータとしての機能とは、オペレーティングシステムの実行、所望のアプリケーションの処理、文書編集、メール送受信、Ｗｅｂアクセス、チャット等を指す。本実施形態ではさらにＡＶ機能を搭載するので、音楽再生、テレビ視聴、番組録画といった機能も備える。ＡＶ機能をつかさどる部分はＰＣ制御部２０４に含まれるが、パーソナルコンピュータとしての機能が休止中であってもＡＶ機能は単独で機能するように構成するのが好ましい。
【００２１】
開閉制御部２０５は、ディスプレイパネル２０１の開閉動作をコントロールする機能を有する。開閉制御部２０５はＰＣ制御部２０４から、もしくはリモコンセンサー部２０７からの開閉指示を受けてディスプレイパネル２０１の開閉状態を決める。開閉制御部２０５は、ＰＣ制御部２０４の電源の入切とは別に単独で機能するように構成するのが好ましい。開閉動作の中にはディスプレイパネル２０１の開閉に伴う、計算機本体２００とディスプレイパネル２０１との固定位置を変えるような動作も含まれる。たとえば計算機本体２００内にディスプレイパネル２０１が格納されている場合には、計算機本体２００上ディスプレイパネルを開閉動作可能な位置まで移動させる動作を指す。あるいはディスプレイパネル２０１を覆い隠すように設置されたシャッターを開閉するごとき動作も考えられる。
【００２２】
開閉駆動部２０６は、ディスプレイパネル２０１と計算機本体２００との間に位置し、その開閉角度をコントロールする機能を有する。ＰＣ制御部２０４、もしくは開閉制御部２０５からディスプレイパネル２０１をクローズするように指示を受けると、内蔵するモータによりパネルの開閉角度がゼロになるように回転させ、ディスプレイパネルを閉じる。
【００２３】
逆にオープンするように指示を受けると、パネルの開閉角度がたとえば９０度となるように回転させる。ヒンジ２０３で回転可能に固定されたディスプレイパネル２０１を回転させる方法はモータ、ギアによる方法が考えられるが、ディスプレイパネル２０１を開閉させることができる方法であればいずれの方法であってもかまわない。開閉駆動部２０６は、ある角度に開いたディスプレイパネル２０１を利用者が手動で変えようとした場合、手動によっても開閉角度を変えられるようになっていても良い。たとえば所定の開閉角度に開いたディスプレイパネル２０１をさらに見やすい角度まで開く、あるいは使用場所の移動のため持ち運びできるようにすぐさま手動で閉じたいような場合が考えられる。
【００２４】
さらに開閉駆動部２０６はＰＣ制御部２０４の電源の入切とは別に電源が供給されるようになっていても良い。このように構成するとＰＣ制御部２０４に電源が入っていない状態、いわばパーソナルコンピュータとして機能していない状態であってもディスプレイパネル２０１を自動的に開閉することができる。
【００２５】
リモコンセンサー部２０７は、リモコン１０１から発せされたコマンドを受信する機能を有する。リモコン１０１から発せされるコマンドの例は計算機１００の電源の入切、ディスプレイパネルの開閉、アプリケーションの起動、音楽再生、テレビ視聴のためのチャンネル選択、及び録画予約などのコントロールである。受信したコマンドの内容に応じてＰＣ制御部２０４又は開閉制御部２０５に対しコマンドの情報を受け渡す。リモコンセンサー部２０７についてもパーソナルコンピュータとしての機能が休止中であっても単独で機能するように構成するのが好ましい。
【００２６】
予約時刻表２０８は、ＰＣ制御部２０４内の記憶装置内に格納されており、テレビ視聴や番組録画のための予約開始時刻、予約終了時刻及び視聴チャンネルなどを予約情報として記憶している。これらの情報はＰＣ制御部２０４によって更新され、ＡＶ機能の設定情報として使用される。
【００２７】
図３は本実施形態における計算機１００の動作フロー図の一例を示したものである。図３ではいくつかの状態、あるいは与えられた指示を判断し、結果的にディスプレイパネル２０１の開閉を決定するためのフローとなっている。
【００２８】
オペレーティングシステム上でシャットダウンが指示された場合あるいは計算機１００の電源スイッチが一定時間押された場合など計算機１００の使用を終了する場合には（ステップＳ０１）、開閉駆動部２０６に対してディスプレイパネル２０１を閉じるように指示する（ステップＳ０４）。
【００２９】
次にテレビ視聴や番組録画を予約していた場合、予約時刻表２０８を参照し予約開始時刻以降にその予約情報における予約終了時刻になったか否かを判断する（ステップＳ０２）。この場合も所定の処理を終えたことでディスプレイ２０２を見る必要が無くなったとして開閉駆動部２０６に対してディスプレイパネル２０１を閉じるように指示する（ステップＳ０４）。
【００３０】
次にリモコン１０１や、計算機１００上で稼働中のアプリケーションからディスプレイパネル２０１を閉じるように指示（Ｃｌｏｓｅ指示）があったかどうかを判断する（ステップＳ０３）。Ｃｌｏｓｅ指示があった場合は開閉駆動部２０６に対してディスプレイパネル２０１を閉じるように指示する（ステップＳ０４）。
【００３１】
上記のようにディスプレイパネル２０１を閉じるように指示した後は一連の動作フローは終了し、それぞれの指示に基づいた動作を継続する。
【００３２】
一方、いずれの指示でもなかった場合、次に計算機１００の電源が投入されたかどうかを判断する（ステップＳ０５）。電源投入は、たとえば計算機１００に設けられた電源スイッチがＯＮになったか、リモコン１０１から電源入の指示があった場合などが考えられる。電源が投入された場合には次に計算機１００を利用するものと考え、ＰＣ制御部２０４または開閉制御部２０５は開閉駆動部２０６にディスプレイパネル２０１を開くよう指示する（ステップＳ０８）。
【００３３】
次にテレビ視聴や番組録画を予約していた場合、予約時刻表２０８を参照し予約開始時刻になったか否かを判断する（ステップＳ０６）。この場合もテレビ画像の視聴がされるとして開閉駆動部２０６に対してディスプレイパネル２０１を開くように指示する（ステップＳ０８）。
【００３４】
次にリモコン１０１や、計算機１００上で稼働中のアプリケーションからディスプレイパネル２０１を開くように指示（Ｏｐｅｎ指示）があったかどうかを判断する（ステップＳ０７）。Ｏｐｅｎ指示があった場合は開閉駆動部２０６に対してディスプレイパネル２０１を開くように指示する（ステップＳ０８）。
【００３５】
上記のようにディスプレイパネル２０１を開くように指示した後は一連の動作フローは終了し、それぞれの指示に基づいた動作を継続する。
【００３６】
上記のように構成することで、手動でのディスプレイパネルの開閉をすることなく状況に応じて自動的に開閉するディスプレイパネルを構成することができる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３８】
【図１】本実施形態における計算機システムの一例を示す図である。
【図２】本実施形態における計算機システムの構成図の一例を示す図である。
【図３】本実施形態における計算機システムの動作フロー図の一例を示す図である。
【符号の説明】
【００３９】
１００・・・計算機、１０１・・・リモコン、２００・・・計算機本体、２０１・・・画ディスプレイパネル、２０２・・・ディスプレイ、２０３・・・ヒンジ、２０４・・・ＰＣ制御部、２０５・・・開閉制御部、２０６・・・開閉駆動部、２０７・・・リモコンセンサー部、２０８・・・予約時刻表
【図１】
2006350709.tif 000003
【図２】
2006350709.tif 000004
【図３】
2006350709.tif 000005